(57)【要約】【課題】テルペン系炭化水素含有液体洗浄剤組成物を含有させて長期保存しても大きな形状変化が生じないプラスチック容器の提供。【解決手段】ポリエチレン系樹脂から成形した、容器肉厚が容器容量と肉厚の関係式から算出した特定の厚み以上の肉厚容器がリモネン等のテルペン系炭化水素含有液体洗浄剤組成物の長期保存容器として好ましいことを見出した。特に好ましくは、メルトフローインデックスが０．０１〜１０ｍｇ／１０ｍｉｎの高密度ポリエチレンからブロー成形された容器である。【選択図】　選択図なし【特許請求の範囲】
【請求項１】
炭素数１０のテルペン系炭化水素含有液体洗浄剤組成物が充填されてなる液体洗浄剤入り厚肉容器であって、容器肉厚が下記式（１）から算出されたＸｍｍ以上であることを特徴とするポリエチレン系樹脂で成形されたテルペン系炭化水素含有液体洗浄剤組成物入り厚肉容器。
Ｘ＝１．５×｛３００＋０．０５（ｙ−３００）／３００｝　　（１）
ただし、Ｘ：容器の肉厚　　ｙ：容器の容量。
【請求項２】
炭素数１０のテルペン系炭化水素が、リモネンであることを特徴とする請求項１に記載の容器。
【請求項３】
テルペン系炭化水素含有液体洗浄組成物中の水の含有量が、５重量％以下であることを特徴とする請求項１に記載の容器。
【請求項４】
ポリエチレン系樹脂が、メルトフローインデックス０．０１〜１０ｇ／１０ｍｉｎの高密度ポリエチレンであることを特徴とする請求項１に記載の容器。
【請求項５】
リモネン含有液体洗浄剤組成物が、リモネンとエタノールを含むことを特徴とする請求項２に記載の容器。
【請求項６】
リモネン含有液体洗浄剤組成物中のリモネン濃度が、２５〜８０重量％であることを特徴とする請求項２または５に記載の容器。
【請求項７】
容器が、ブロー成形法により成形されていることを特徴とする請求項１に記載の容器。
【請求項８】
ディスペンサーを装着した、請求項１に記載された厚肉容器。
【請求項９】
請求項８に記載されたテルペン系炭化水素含有液体洗浄用の厚肉容器。
【発明の詳細な説明】
【０００１】
【発明の属する技術分野】
本発明は、炭素数１０のテルペン系炭化水素含有液体洗浄剤組成物が充填されてなる液体洗浄剤組成物入り厚肉容器に関する。
【０００２】
【従来の技術】
ポリエチレン容器は洗浄剤の容器として広く使用されており、その容器は省資源やゴミの減量化の観点から薄肉化が検討されている。特開２０００−１６９８７８号公報、特開２０００−２１２５９５号公報、特開２０００−３１３４２７号公報などに述べられているように、容器厚みは２０〜５００μｍである。一方、炭素数が１０のテルペン系炭化水素、特にリモネンを含有した洗浄剤組成物は多く知られているが、特開平７−２７８５８９号公報、特開平１１−９２７９５号公報に述べられているように界面活性剤及び水を含有する組成物が多い。また、その容器もスプレーの噴射力による物理的洗浄作用を活用するため、エアゾール用液化ガスを含有させることからブリキ製缶、アルミニウム製缶が使用されている。最近、炭素数１０のテルペン系炭化水素、特にリモネンを含有する水を基材としない液体洗浄剤組成物が開発されているが、リモネン等のプラスチックスへの膨潤度の大きさにより通常のプラスチック容器はテルペン系炭化水素含有液体洗浄剤組成物の容器としては好ましくなかった。
【０００３】
【発明が解決しようとする課題】
炭素数１０のテルペン系炭化水素含有液体洗浄剤組成物であって、水を基材としない洗浄剤組成物は上記の厚み２０〜５００μｍ厚みのポリエチレン容器では、保存中に大きな変形が生じて商品価値が低下する。また、手動の引き金でノズルから液体洗浄剤を噴射させるスプレー式噴射ノズルを備えた容器では、変形により使い勝手が悪くなる。
本発明では、水を基材としない炭素数１０のテルペン系炭化水素含有液体洗浄剤組成物のために好ましいプラスチック容器を提供するものである。
【０００４】
【課題を解決するための手段】
本発明者等は、前記課題を解決するため鋭意研究を重ねた結果、水を基材としない炭素数１０のテルペン系炭化水素含有液体洗浄剤組成物に対し、特定臨界厚み以上の厚みを有するポリエチレン容器が変形を起こさないことを見出し、本発明をなすに至った。
すなわち本発明は、炭素数１０のテルペン系炭化水素含有液体洗浄剤組成物が充填されてなる液体洗浄剤入り厚肉容器であって、容器の肉厚が下記の容器容量（ｙｍｌ）と容器肉厚（Ｘｍｍ）の関係式（１）から算出されたＸｍｍ以上であることを特徴とするポリエチレン系樹脂で成形されたテルペン系炭化水素含有液体洗浄用組成物入り厚肉容器である。
Ｘ＝１．５×｛３００＋０．０５（ｙ−３００）／３００｝　　（１）
ただし、Ｘ：容器の肉厚　　ｙ：容器の容量
【０００５】
また本発明は、上記のテルペン系炭化水素含有液体洗浄用組成物用の厚肉容器に関するものである。
本発明について、以下具体的に説明する。本発明は、テルペン系炭化水素含有液体洗浄剤組成物入り厚肉容器に関する。本発明の液体洗浄剤組成物は炭素数１０のテルペン系炭化水素を含有する水を基材としない洗浄剤組成物である。テルペン系炭化水素としては、ミルセン、セレン、オシメン、ピネン、リモネン、カンフェン、テルピノーレン、トリシクレン、テルピネン、フェンチェン、フェランドレン、シルベストレン、サピアン、ｐ−メンテン−１、ｐ−メンテン−３、ｐ−サイメン、ｐ−メンタンなどを用いることができるが、好ましくはα−ピネン、β−ピネン、リモネン、ｐ−メンテン−１、ｐ−メンテン−３、ｐ−サイメン、ｐ−メンタンであり、最も好ましくはリモネンであり、リモネンはｄ−リモネン、ｌ−リモネン等の異性体の使用が可能である。環境上からは、柑橘類から得られるｄ−リモネンを主成分としたものが更に好ましい。
【０００６】
リモネン等のテルペン系炭化水素を含有する洗浄剤組成物は特開平７−２７８５８９号公報、特開平１１−９２７９５号公報などに開示されているが、水を基材とする洗浄剤組成物である。本発明の洗浄剤組成物は基本的に水を基材としないものであり、リモネン等のテルペン系炭化水素とエタノールを含有する組成物が好ましい。リモネン等のテルペン系炭化水素の組成物中の濃度は、好ましくは２５〜８０重量％、より好ましくは３０〜５０重量％である。本発明の洗浄剤組成物は、熱可塑性樹脂の成形に用いる金型表面への付着物を除去するための洗浄剤として有効である。リモネン等のテルペン系炭化水素濃度が金型付着物の洗浄効果に影響し、上記の濃度が好ましいのである。洗浄剤組成物中の水の含有量が５重量％以上になると洗浄効果が低下してくる。
【０００７】
リモネン含有液体洗浄剤組成物の容器は、特開平７−２７８５８９号公報、特開平１１−９２７９５号公報に述べられているように、ブリキ製缶、アルミニウム製缶が使用されている。一方、通常の水を基材とする洗浄剤の容器としてはポリエチレン等のプラスチック容器が多く使用されている。それらのプラスチック容器は軽量で、デザインの自由度も大きく好ましい。しかしながら、本発明のリモネン等のテルペン系炭化水素含有量が大で、かつ水を基材としない液体洗浄剤組成物はプラスチックスへの浸透性，溶解性などが著しく、通常のプラスチック容器を使用すると強度低下及び変形が大きく使用に耐えないことが判明した。種々検討した結果、本発明者らは特定厚み以上の容器肉厚を有するポリエチレン系樹脂から成形された容器が、本発明の洗浄剤組成物の保存においても変形することなく、また経済性及び成形性の点で好ましいことを見出して本発明に到達した。容器の特定厚みは容器容量により変化し、ある容器肉厚以上で臨界的に変化する特性を有していた。特定厚みは下記に示す容器容量（ｙｍｌ）と容器肉厚（Ｘｍｍ）の関係式、Ｘ＝１．５×｛３００＋０．０５（ｙ−３００）／３００｝、から算出され、ｙｍｌ容器では容器肉厚がＸｍｍ以上であることが必要になる。この関係式は実験的に求めた式であり、３００ｍｌ容量の容器では１．５ｍｍ以上の容器肉厚が、５０００ｍｌ容量の容器では２．７ｍｍ以上の容器肉厚が必要になる。このような関係は一般的なものではなく、本発明の洗浄剤組成物に特有のものである。また、液体洗浄剤組成物用のポリエチレン等のプラスチック容器肉厚は、特開２０００−２１２５９５号公報、特開２０００−３１３４２７号公報等にも述べられているように、２５〜３００μｍであり、１ｍｍ以上の容器肉厚は常識的ではない。本発明のポリエチレン系樹脂は種々のポリエチレン重合体及び共重合体が使用できるが、メルトフローインデックス０．０１〜１０ｇ／１０ｍｉｎ、好ましくは０．１〜５ｇ／１０ｍｉｎの高密度ポリエチレンが、容器変形を抑制する点で好ましい。本発明の容器は種々の成形方法で成形する事ができるが、特にメルトフローインデックス０．０１〜１０ｇ／１０ｍｉｎの高密度ポリエチレンを成形するためにはブロー成形が好ましい。
【０００８】
本発明のディスペンサーとは、以下の３種類がある。その一は、容器本体内部に噴射すべき液体の他に噴射剤を内蔵し、噴射ボタンの押し／戻し操作により噴射剤の押圧力で容器内の液体を注出または噴射するエアゾル式ディスペンサーであり、その二は、プッシュヘッドまたはプッシュボタンの押し／戻し操作によりポンプの内容積を変化させ容器内の液体を注出または噴射し得る手押しポンプ式ディスペンサーであり、その三は、トリガーレバーの引き／戻し操作によりポンプの内容積を変化させ容器内の液体を注出または噴射し得るトリガーディスペンサーである。特に第三のタイプは、特開平９−１７３９３２号公報、特開平１０−３２４３５６号公報などによって、良く知られている。
【０００９】
本発明の容器形状は広くどのような形状でも可能であるが、本発明の洗浄剤組成物が金型付着物の洗浄に使用されることから、手動の引き金でノズルから液体洗浄剤を噴射させるスプレー式噴射ノズルを取り付けられる形状が好まれる。その場合、手で握りやすい形状であり容量は５０〜１０００ｍｌ、好ましくは１００〜５００ｍｌである。そのような容器においては、容器変形が生じると使い勝手が悪くなり好ましくない。
広い平面部分を有する容器においては、一番広い平面部分に湾曲、凹凸などのリブ構造を付けることが容器変形を抑制する点から好ましい。
【００１０】
【発明の実施の形態】
本発明を実施例に基づいて説明する。
【００１１】
【実施例１〜４、および比較例１〜２】
メルトフローインデックス０．３５ｇ／１０ｍｉｎの高密度ポリエチレンからブロー成形で、表１に示す肉厚を変化させた容器１及び容器２を成形した。
容器１は内容積３００ｍｌで、手動の引き金とスプレー式ノズルを取り付けられる構造を有し、図１に示す形状・寸法を有する容器である。
容器２は内容積が５０００ｍｌで、注口部口径３１ｍｍ、胴体が２２５ｍｍ×２３０×１２２ｍｍの直方体の形状を有する容器である。
容器１及び容器２に、リモネン３３重量％とエタノール６７重量％からなる液体洗浄剤組成物を充填し、室温で４週間保存して容器の変形度合いを観察した。変形度合いは、変形が大きく商品価値が大きく低下した場合に×、変形がほとんどない場合に○を表１の評価結果に示した。
【００１２】
【表１】
2004026196.tif 000002
【００１３】
【発明の効果】
内容積３００ｍｌの容器１においては、容器肉厚１．５１ｍｍの肉厚以上で変形が無く、内容積５０００ｍｌの容器２では容器肉厚２．３５ｍｍでは変形が大きく、容器肉厚２．７０ｍｍ以上になると変形が無くなる。本発明に規定した容器容量（ｙｍｌ）と肉厚（Ｘｍｍ）の関係式、Ｘ＝１．５×｛３００＋０．０５（ｙ−３００）／３００｝、から算出されたｙｍｌ容器では容器肉厚がＸｍｍ以上で変形が無くなり、本発明のリモネン含有液体洗浄剤組成物の好ましい容器となる。
【図面の簡単な説明】
【図１】実施例１、２および比較例１で用いた容器１の概略図である。
【符号の説明】
Ａ　　容器１の上面図である。
Ｂ　　容器１の正面図である。
Ｃ　　容器１の底面図である。
Ｄ　　容器１の右側面図である。
【図１】
2004026196.tif 000003